(57)【特許請求の範囲】
【請求項１】
マスターストロボとスレーブストロボからなるワイヤレス増灯システムに使用する前記スレーブストロボに接続するスレーブ制御装置において、
筐体と、
前記筐体の所定面上に支持されており、前記マスターストロボからの発光を受光する受光部と、
前記受光部からの光電流に応じて発生し且つ前記スレーブストロボを発光させるために前記スレーブストロボのシンクロ接点へ出力される発光開始信号の、前記シンクロ接点への伝達を遮断するために外部操作可能であり、且つ前記筐体の前記所定面とは異なる面上で且つ該所定面に対して約９０度をなす面上に支持されているスイッチ部材とを備え、
前記スイッチ部材は、前記発生した前記発光開始信号の前記シンクロ接点への伝達を、該スイッチ部材への外部操作状態が維持されている時のみ遮断し、維持されていない時には許容する
ことを特徴とするスレーブ制御装置。
【請求項２】
請求項１に記載のスレーブ制御装置において、
前記スイッチ部材は、前記発光開始信号を前記スレーブストロボのシンクロ接点へ伝達する電線の間に設けられており、外部操作により該発光開始信号の該シンクロ接点への伝達を禁止するスイッチを含む
ことを特徴とするスレーブ制御装置。
【請求項３】
マスターストロボとスレーブストロボからなるワイヤレス増灯システムに使用する前記スレーブストロボに接続するスレーブ制御装置において、
筐体と、
前記筐体の所定面上に支持されており、前記マスターストロボからの発光を受光する受光部と、
前記受光部からの光電流に応じて、前記マスターストロボの発光開始または発光停止を意味する各受光信号を発生する受光信号発生回路と、
前記受光信号を受けて前記発光開始を検出し、前記スレーブストロボを発光させる発光開始信号を発生する発光開始信号発生回路と、
前記受光信号を受けて前記発光停止を検出し、前記スレーブストロボを発光停止にする発光停止信号を発生する発光停止信号発生回路と、
前記発光開始信号発生回路で発生した前記発光開始信号の、前記スレーブストロボのシンクロ接点への伝達を遮断するために外部操作可能であり、且つ前記筐体の前記所定面とは異なる面上で且つ該所定面に対して約９０度をなす面上に支持されているスイッチ部材と、
前記スレーブストロボのシンクロ接点に接続される第１の端子と前記スレーブストロボの発光を停止させる接点に接続される第２の端子とを備える接続端子部とを備え、
前記受光信号発生回路は、前記発光開始信号発生回路と前記スイッチ部材とを介して、前記第１の端子に接続し、
前記受光信号発生回路は、前記発光停止信号発生回路を介して、前記第２の端子に接続し、
前記接続端子部は、前記スレーブストロボに電気的に接続し、
前記スイッチ部材は、前記発光開始信号発生回路で発生した前記発光開始信号の前記シンクロ接点への伝達を、該スイッチ部材への外部操作状態が維持されている時のみ遮断し、維持されていない時には許容する
ことを特徴とするスレーブ制御装置。
【請求項４】
請求項１〜３のうちの何れか一項に記載のスレーブ制御装置において、
前記受光部およびスイッチ部材を備えた把持部を設けるとともに、前記スイッチ部材は、前記受光部を遮蔽しないように把持された手の指が届く範囲に設けられている
ことを特徴とするスレーブ制御装置。
【請求項５】
マスターストロボとスレーブストロボからなるワイヤレス増灯システムにおける前記スレーブストロボとして使用することができるスレーブ機能付きのストロボにおいて、
筐体と、
前記筐体の所定面上に支持されており、前記マスターストロボからの発光を受光する受光部と、
前記受光部からの光電流に応じて発生し且つ前記スレーブストロボを発光させるために前記スレーブストロボのシンクロ接点へ出力される発光開始信号の、前記シンクロ接点への伝達を遮断するために外部操作可能であり、且つ前記筐体の前記所定面とは異なる面上で且つ該所定面に対して約９０度をなす面上に支持されているスイッチ部材とを備え、
前記スイッチ部材は、前記発生した前記発光開始信号の前記シンクロ接点への伝達を、該スイッチ部材への外部操作状態が維持されている時のみ遮断し、維持されていない時には許容する
ことを特徴とするスレーブ機能付きのストロボ。
【請求項６】
マスターストロボとスレーブストロボからなるワイヤレス増灯システムの前記スレーブストロボとして使用することができるスレーブ機能付きのストロボにおいて、
筐体と、
前記筐体の所定面上に支持されており、前記マスターストロボからの発光を受光する受光部と、
前記受光部からの光電流に応じて、前記マスターストロボの発光開始または発光停止を意味する各受光信号を発生する受光信号発生回路と、
前記受光信号を受けて前記発光開始を検出し、前記ストロボを発光させる発光開始信号を発生する発光開始信号発生回路と、
前記受光信号を受けて前記発光停止を検出し、前記ストロボを発光停止にする発光停止信号を発生する発光停止信号発生回路と、
前記発光開始信号発生回路で発生した前記発光開始信号の、前記ストロボのシンクロ接点への伝達を遮断するために外部操作可能であり、且つ前記筐体の前記所定面とは異なる面上で且つ該所定面に対して約９０度をなす面上に支持されているスイッチ部材とを備え、
前記受光部は、前記受光信号発生回路と接続し、
前記受光信号発生回路は、前記発光開始信号発生回路と前記スイッチ部材とを介して、前記ストロボのシンクロ接点に接続し、
前記受光信号発生回路は、前記発光停止信号発生回路を介して、前記ストロボの発光を停止させる接点に接続し、
前記スイッチ部材は、前記発光開始信号発生回路で発生した前記発光開始信号の前記シンクロ接点への伝達を、該スイッチ部材への外部操作状態が維持されている時のみ遮断し、維持されていない時には許容する
ことを特徴とするスレーブ機能付きのストロボ。
【請求項７】
マスターストロボとスレーブストロボからなるワイヤレス増灯システムにおける前記スレーブストロボとして使用することができるスレーブ機能付きのストロボにおいて、
筐体と、
前記筐体の所定面上に支持されており、前記マスターストロボからの発光を受光する受光部と、
前記受光部からの光電流に応じて、前記マスターストロボの発光開始または発光停止を意味する各受光信号を発生する受光信号発生回路と、
前記受光信号を受けて前記発光開始を検出し、前記ストロボを発光させる発光開始信号を発生する発光開始信号発生回路と、
前記受光信号を受けて前記発光停止を検出し、前記ストロボを発光停止にする発光停止信号を発生する発光停止信号発生回路と、
前記発光開始信号発生回路で発生した前記発光開始信号の、前記ストロボのシンクロ接点への伝達を遮断するために外部操作可能であり、且つ前記筐体の前記所定面とは異なる面上で且つ該所定面に対して約９０度をなす面上に支持されているスイッチ部材とを備え、
前記受光部は、前記受光信号発生回路と接続し、
前記受光信号発生回路は、前記発光開始信号発生回路と前記スイッチ部材とを介して、前記ストロボのシンクロ接点に接続し、
前記受光信号発生回路は、前記発光停止信号発生回路を介して、前記ストロボの発光を停止させる接点に接続し、
前記スイッチ部材は、前記発光開始信号発生回路で発生した前記発光開始信号の前記シンクロ接点への伝達を、該スイッチ部材への外部操作状態が維持されている時のみ遮断し、維持されていない時には許容する
ことを特徴とするスレーブ機能付きのストロボ。
【請求項８】
請求項５〜７のうちの何れか一項に記載のスレーブ機能付きのストロボにおいて、
前記ストロボの前記筐体は、把持部を形成し、前記スイッチ部材は、前記受光部を遮蔽しないように把持された手の指が届く範囲に設けられていることを特徴とするスレーブ機能付きのストロボ。
【発明の詳細な説明】
【０００１】
【発明の属する技術分野】
本発明は、写真撮影におけるワイヤレス増灯システムに使用されるスレーブ制御装置及びスレーブ機能付きのストロボに関する。特に、本発明は、スレーブストロボの発光を任意に禁止することができる機能を有するスレーブ制御装置及びスレーブ機能付きのストロボに関する。
【０００２】
【従来の技術】
ワイヤレス増灯システムにおいて、スレーブストロボは、その受光部でマスターストロボの発光開始を検出して、発光を開始し、マスターストロボの発光停止を検出して、その発光を停止していた。
その際に、スレーブストロボの受光部が、スレーブストロボ自らの発光による被写体からの反射光を検出してしまうと、マスターストロボの発光停止を検出することができなくなり、スレーブストロボはフル発光してしまう。その結果、写真は、露出オーバーとなり、撮影者の意図したとおりの写真とはならない不都合を生じる。
【０００３】
そのため、従来は、マスターストロボとスレーブストロボを協動させるために何らかの発光制御信号をマスターストロボからスレーブストロボへ送信していた。
例えば、マスターストロボが本発光をする前後に予備発光を行い、スレーブストロボは、本発光前の予備発光を検出し、その予備発光からスレーブストロボに設定された一定時間内に本発光があったときに、スレーブストロボは、その発光を開始する。そして、スレーブストロボの発光開始からスレーブストロボに設定された一定時間内に、マスターストロボが、本発光後の予備発光を行い、スレーブストロボは、その予備発光を検出してスレーブストロボの発光を停止していた。
【０００４】
あるいは、マスターストロボの予備発光の代わりに電波を使用し、スレーブストロボの発光を制御していた。
なお、本発光とは、被写体をフィルムに写すための発光である。
また、スレーブストロボの受光部は、マスターストロボの発光のみを検出し、スレーブストロボ自らの発光による被写体からの反射光を検出しないように、受光部にフードを設けるなどして、受光部に指向性を持たせ、かつ、受光部は、受光部がマスターストロボの方向に的確に向くように、回動自在になっていた。
【０００５】
このように、従来は、マスターストロボとスレーブストロボとからなる系に関する課題のみを認識し、スレーブストロボの誤発光を防止しようとしていた。
【０００６】
【発明が解決しようとする課題】
ところが、マスターストロボとスレーブストロボからなる系外の他のストロボからの影響が問題となり始めている。
【０００７】
特に、結婚式や各種イベントの会場では、多数の撮影者が多数のストロボを使用することから、マスターストロボとスレーブストロボからなる系以外の他のストロボが存在する。しかも、ケーキへの入刀やキャンドルサービスなどの如く多数の撮影者にとって撮影したいシャッターチャンスは、同じである。
従って、このような会場では、他のストロボの発光をマスターストロボからの発光制御信号と錯覚し、スレーブストロボは、誤発光してしまう問題がある。特に、他の撮影者が同じ仕組みの増灯システムを使用していた場合には、誤発光は、顕著に発生する。
【０００８】
このような、マスターストロボとスレーブストロボからなる系外の他のストロボからの影響による問題点は、増灯システムが開発されてから約２０年になるがこれまで認識されていなかったものである。
さらに、シャッターチャンスは、いつ如何なる状況で訪れるかわからないものであるから、ただ単に誤発光を防止するだけでなく、誤発光を防止する操作を容易にかつ機動的に行う必要もある。
【０００９】
一方、仮に、発光制御信号を複雑な取決めにすれば、このような問題点を解決することができる可能性はある。
しかし、発光制御信号を複雑な取り決めにすれば、回路が当然複雑になり、カメラは、その分だけ高価になるという問題が生じる。そして、複雑な取決めに対応した複雑な回路を新たに追加することになるため、カメラの容積と重量とを大きく増すことになり、撮影時における機動性と携帯性を損なうという問題を生じる。
【００１０】
さらに、発光制御信号を複雑な取決めにすれば、スレーブストロボは、特定のマスターストロボの専用機となるため、特定の増灯システムにのみ使用することができ他の増灯システムでは使用することができなくなるという問題も生じ、その汎用性を失う。
特に、ストロボは、カメラアクセサリーであるため、カメラごとのあるいはマスターストロボごとの専用機となることは望ましくない。むしろ、汎用性を確保して、カメラやマスターストロボを更新しても、これまでのストロボを資産として利用できるようにすることが望ましい。
【００１１】
すなわち、上記のようなマスターストロボとスレーブストロボからなる系外のストロボからの影響による問題点を解決しつつ、操作性、低廉性、機動性、携帯性及び汎用性を確保しなければならない。
そこで、この発明では、スレーブストロボの発光を任意にかつ一時的に禁止することができるスレーブ制御装置を提供することを目的とする。
【００１２】
この発明では、スレーブストロボの発光を任意にかつ一時的に禁止することができるスレーブ機能付きのストロボを提供することを目的とする。
【００１３】
この発明では、さらに、スレーブストロボの発光を任意にかつ一時的に禁止する操作を容易にかつ機動的に行うことができるスレーブ制御装置を提供することを目的とする。
さらに、スレーブストロボの発光を任意にかつ一時的に禁止する機能を低廉で提供することができ、撮影する際の機動性及び携帯性を確保することができ、かつ、特定の増灯システムにその使用を限定することのない汎用性を備えたスレーブ制御装置を提供することを目的とする。
【００１４】
この発明では、さらに、スレーブストロボの発光を任意にかつ一時的に禁止する操作を容易にかつ機動的に行うことができるスレーブ機能付きのストロボを提供することを目的とする。
さらに、スレーブストロボの発光を任意にかつ一時的に禁止する機能を低廉で提供することができ、撮影する際の機動性及び携帯性を確保することができ、かつ、特定の増灯システムにその使用を限定することのない汎用性を備えたスレーブ機能付きのストロボを提供することを目的とする。
【００１５】
【課題を解決するための手段】
（請求項１）
マスターストロボとスレーブストロボからなるワイヤレス増灯システムに使用するスレーブストロボに接続するスレーブ制御装置において、筐体と、筐体の所定面上に支持されており、マスターストロボからの発光を受光する受光部と、受光部からの光電流に応じて発生し且つスレーブストロボを発光させるためにスレーブストロボのシンクロ接点へ出力される発光開始信号の、シンクロ接点への伝達を遮断するために外部操作可能であり、且つ筐体の所定面とは異なる面上で且つ該所定面に対して約９０度をなす面上に支持されているスイッチ部材とを備え、スイッチ部材は、発生した発光開始信号のシンクロ接点への伝達を、該スイッチ部材への外部操作状態が維持されている時のみ遮断し、維持されていない時には許容することを特徴とする。
【００１６】
（請求項２）
請求項１に記載のスレーブ制御装置において、スイッチ部材は、発光開始信号をスレーブストロボのシンクロ接点へ伝達する電線の間に設けられており、外部操作により該発光開始信号の該シンクロ接点への伝達を禁止するスイッチを含むことを特徴とする。
【００１７】
（請求項３）
マスターストロボとスレーブストロボからなるワイヤレス増灯システムに使用するスレーブストロボに接続するスレーブ制御装置において、筐体と、筐体の所定面上に支持されており、マスターストロボからの発光を受光する受光部と、受光部からの光電流に応じて、マスターストロボの発光開始または発光停止を意味する各受光信号を発生する受光信号発生回路と、受光信号を受けて発光開始を検出し、スレーブストロボを発光させる発光開始信号を発生する発光開始信号発生回路と、受光信号を受けて発光停止を検出し、スレーブストロボを発光停止にする発光停止信号を発生する発光停止信号発生回路と、発光開始信号発生回路で発生した発光開始信号の、スレーブストロボのシンクロ接点への伝達を遮断するために外部操作可能であり、且つ筐体の所定面とは異なる面上で且つ該所定面に対して約９０度をなす面上に支持されているスイッチ部材と、スレーブストロボのシンクロ接点に接続される第１の端子とスレーブストロボの発光を停止させる接点に接続される第２の端子とを備える接続端子部とを備え、受光信号発生回路は、発光開始信号発生回路とスイッチ部材とを介して、第１の端子に接続し、受光信号発生回路は、発光停止信号発生回路を介して、第２の端子に接続し、接続端子部は、スレーブストロボに電気的に接続し、スイッチ部材は、発光開始信号発生回路で発生した発光開始信号のシンクロ接点への伝達を、該スイッチ部材への外部操作状態が維持されている時のみ遮断し、維持されていない時には許容することを特徴とする。
【００１８】
（請求項４）
請求項１〜３のうちの何れか一項に記載のスレーブ制御装置において、受光部およびスイッチ部材を備えた把持部を設けるとともに、スイッチ部材は、受光部を遮蔽しないように把持された手の指が届く範囲に設けられていることを特徴とする。
【００１９】
（請求項５）
マスターストロボとスレーブストロボからなるワイヤレス増灯システムにおけるスレーブストロボとして使用することができるスレーブ機能付きのストロボにおいて、筐体と、筐体の所定面上に支持されており、マスターストロボからの発光を受光する受光部と、受光部からの光電流に応じて発生し且つスレーブストロボを発光させるためにスレーブストロボのシンクロ接点へ出力される発光開始信号の、シンクロ接点への伝達を遮断するために外部操作可能であり、且つ筐体の所定面とは異なる面上で且つ該所定面に対して約９０度をなす面上に支持されているスイッチ部材とを備え、スイッチ部材は、発生した発光開始信号のシンクロ接点への伝達を、該スイッチ部材への外部操作状態が維持されている時のみ遮断し、維持されていない時には許容することを特徴とする。
【００２０】
（請求項６）
マスターストロボとスレーブストロボからなるワイヤレス増灯システムのスレーブストロボとして使用することができるスレーブ機能付きのストロボにおいて、筐体と、筐体の所定面上に支持されており、マスターストロボからの発光を受光する受光部と、受光部からの光電流に応じて、マスターストロボの発光開始または発光停止を意味する各受光信号を発生する受光信号発生回路と、受光信号を受けて発光開始を検出し、ストロボを発光させる発光開始信号を発生する発光開始信号発生回路と、受光信号を受けて発光停止を検出し、ストロボを発光停止にする発光停止信号を発生する発光停止信号発生回路と、発光開始信号発生回路で発生した発光開始信号の、ストロボのシンクロ接点への伝達を遮断するために外部操作可能であり、且つ筐体の所定面とは異なる面上で且つ該所定面に対して約９０度をなす面上に支持されているスイッチ部材とを備え、受光部は、受光信号発生回路と接続し、受光信号発生回路は、発光開始信号発生回路とスイッチ部材とを介して、ストロボのシンクロ接点に接続し、受光信号発生回路は、発光停止信号発生回路を介して、ストロボの発光を停止させる接点に接続し、スイッチ部材は、発光開始信号発生回路で発生した発光開始信号のシンクロ接点への伝達を、該スイッチ部材への外部操作状態が維持されている時のみ遮断し、維持されていない時には許容することを特徴とする。
【００２１】
（請求項７）
マスターストロボとスレーブストロボからなるワイヤレス増灯システムにおけるスレーブストロボとして使用することができるスレーブ機能付きのストロボにおいて、筐体と、筐体の所定面上に支持されており、マスターストロボからの発光を受光する受光部と、受光部からの光電流に応じて、マスターストロボの発光開始または発光停止を意味する各受光信号を発生する受光信号発生回路と、受光信号を受けて発光開始を検出し、ストロボを発光させる発光開始信号を発生する発光開始信号発生回路と、受光信号を受けて発光停止を検出し、ストロボを発光停止にする発光停止信号を発生する発光停止信号発生回路と、発光開始信号発生回路で発生した発光開始信号の、ストロボのシンクロ接点への伝達を遮断するために外部操作可能であり、且つ筐体の所定面とは異なる面上で且つ該所定面に対して約９０度をなす面上に支持されているスイッチ部材とを備え、受光部は、受光信号発生回路と接続し、受光信号発生回路は、発光開始信号発生回路とスイッチ部材とを介して、ストロボのシンクロ接点に接続し、受光信号発生回路は、発光停止信号発生回路を介して、ストロボの発光を停止させる接点に接続し、スイッチ部材は、発光開始信号発生回路で発生した発光開始信号のシンクロ接点への伝達を、該スイッチ部材への外部操作状態が維持されている時のみ遮断し、維持されていない時には許容することを特徴とする。
【００２２】
（請求項８）
請求項５〜７のうちの何れか一項に記載のスレーブ機能付きのストロボにおいて、ストロボの筐体は、把持部を形成し、スイッチ部材は、受光部を遮蔽しないように把持された手の指が届く範囲に設けられていることを特徴とする。
【００２３】
（請求項１、請求項５および請求項６の作用）
このような構成のスレーブ制御装置またはスレーブ機能付きのストロボでは、スレーブ制御装置をスレーブストロボに装着して使用したとき、または、スレーブ機能付きのストロボをスレーブストロボとして使用したとき、スレーブストロボのシンクロ接点に出力されるスレーブストロボの発光開始信号を遮断する機能を設けたので、マスターストロボとスレーブストロボからなる系外のストロボの発光などによる誤発光のおそれがある場合に、この機能を利用することにより、スレーブストロボの誤発光を防止することができる。
また、かかる発光開始信号を遮断する機能をスレーブストロボのメインスイッチとは、別途に設けたので、スレーブストロボの誤発光を任意にかつ一時的に行うことができる。
なお、一般には、スレーブ制御装置とは、ワイヤレス増灯システムのスレーブストロボのシンクロ接点に接続し、カメラのシャッターの作動と同調したマスターストロボが発光すると、スレーブストロボの受光部がマスターストロボの発光を検出してこれに合わせてスレーブストロボを発光させる装置をいい、スレーブ・ユニット（slave unit）、ワイヤレス増灯装置ともいう。
また、スレーブ機能付きのストロボは、ワイヤレス増灯システムのスレーブストロボとして使用するだけでなく、マスターストロボとしても、あるいは、単灯の通常のストロボとしても使用することができるものである。
（請求項３および請求項７の作用）
このような構成のスレーブ制御装置またはスレーブ機能付きのストロボでは、スレーブ制御装置をスレーブストロボに装着して使用したとき、または、スレーブ機能付きのストロボをスレーブストロボとして使用したとき、スレーブストロボのシンクロ接点に出力されるスレーブストロボの発光開始信号を遮断するスイッチを設けたので、マスターストロボとスレーブストロボからなる系外のストロボの発光などによる誤発光のおそれがある場合に、この機能を利用することにより、スレーブストロボの誤発光を防止することができる。
【００２４】
また、かかる発光開始信号を遮断するスイッチをスレーブストロボのメインスイッチとは、別途に設けたので、スレーブストロボの誤発光を任意にかつ一時的に行うことができる。
さらに、このようなスイッチを、スレーブ制御装置またはスレーブ機能付きのストロボを把持した場合に容易に指が届く位置に設けたので、スイッチ操作を容易にかつ機動的に行うことができる。しかも、そのような範囲にスイッチを設けたため、スイッチ操作によってスレーブストロボが動揺することなく安定した位置で支えることができるので、思い通りのライティングをすることができる。
【００２５】
また、スレーブストロボのシンクロ接点に出力されるスレーブストロボの発光開始信号を遮断する機能をスイッチによって実現したので、ワイヤレス増灯システム全体の重量及び容積をほとんど増加させることがない。そのため、撮影する際の機動性及び携帯性を従来のワイヤレス増灯システムと同じ程度に確保することができる。
【００２６】
【発明の実施の形態】
以下、図面に基づいて本発明における実施の形態を説明する。
（第１の実施形態の構成）
第１の実施形態は、請求項１ないし４に記載の発明に対応するスレーブ制御装置１の実施形態である。図１ないし図５に基づいて第１の実施形態を説明する。
【００２７】
図１は、第１の実施形態のスレーブ制御装置１の斜視図である。
図１において、スレーブ制御装置１の筐体５０の上面に、スレーブストロボ２００と接続するためのホットシュー７５が、図１のＡ方向に自在に回動することができるように、具設されている。このホットシュー７５とスレーブストロボ２００のクリップとは、嵌合することができる。
【００２８】
また、この筐体５０の両側面に、マスターストロボ２０１からの発光信号を受光するための受光窓５２を含む部材５３を挟持する部分が突設されている。この２つの突設する部分の内側の各々に、部材５３を枢支するための軸状突起が設けられている。部材５３には、軸状突起と係合する部分が凹設され、突設する部分に挟持された部材５３は、軸状突起を中心に図１のＢ方向に自在に回動することができる。そのため、マスターストロボ２０１からの発光信号を受光するために、容易な方向に受光窓５２を向けることができる。
【００２９】
さらに、受光窓５２のある側面と約９０度をなすこの筐体５０の一側面に、押しボタンスイッチ５１が取り付けられている。この押しボタンスイッチ５１のボタンを押すことによって、スレーブストロボ２００の発光を任意にかつ一時的に禁止することができる。また、そのボタンを押していないときは、スレーブ制御装置１からの発光開始信号をスレーブストロボ２００に伝達する。
【００３０】
なお、押しボタンスイッチ５１の取り付け範囲については、後述する。また、押しボタンスイッチ５１は、ｂ接点である。
図２は、第１の実施形態のスレーブ制御装置１の回路図である。なお、ブロックで示した部分は、トランジスタ、ダイオード、抵抗器、コンデンサなどの回路素子を使用して、通常の設計技術を用いて実現できる回路である。
【００３１】
図２において、ホットシュー７５には、発光開始信号を出力するＸ端子９１、発光停止信号を出力するＳＴＰ端子９３、スレーブ制御装置１に電源を供給するプラス端子９２及び基準電圧となるＧＮＤ端子９４がある。ホットシュー７５にスレーブストロボ２００のクリップを嵌合することによって、発光開始信号を出力するＸ端子９１がスレーブストロボ２００のシンクロ接点に接続され、発行停止信号を出力する端子９３がスレーブストロボ２００の発光を停止させる接点に接続され、スレーブ制御装置１に電源を供給するプラス端子９２がスレーブストロボ２００の電源のプラスに接続され、基準電圧となるＧＮＤ端子９４がスレーブストロボ２００のＧＮＤに接続され、スレーブ制御装置１とスレーブストロボ２００とは、電気的に接続される。スレーブ制御装置１は、ＧＮＤ端子９４を介して、スレーブストロボ２００の回路によって接地される。
【００３２】
なお、スレーブストロボ２００は、通常ＴＴＬ（through the lens）調光カメラと組み合わされて使用される普通のストロボである。
プラス端子９２は、抵抗８１と抵抗８３とコンデンサ８４とを介してＧＮＤ端子９４に接続される。また、抵抗８１は、抵抗８３と接続されていない一方の端子でホトダイオード８０のカソード端子と接続される。ホトダイオード８０のアノード端子は、トランジスタ８５のコレクタ端子に接続され、トランジスタ８５のエミッタ端子は、ＧＮＤ端子に接続される。また、トランジスタ８５のベース端子は、抵抗８３とコンデンサ８４の中点に接続される。さらに、抵抗８１と抵抗８３の中点にアノード端子を接続したダイオード８２が接続され、そのカソード端子は、ホトダイオード８０のアノード端子（トランジスタ８５のコレクタ端子でもある。）に接続されている。
【００３３】
このホトダイオード８０は、マスターストロボ２０１からの発光を受光する。また、この抵抗８１、抵抗８３、ダイオード８２及びトランジスタ８５は、ＡＧＣ（Automatic Gain Control）回路を構成し、トランジスタ８５のコレクタ端子は、ＡＧＣ回路の出力端子である。
このＡＧＣ回路の出力端子であるトランジスタ８５のコレクタ端子は、電圧増幅回路８６の入力端子に接続される。電圧増幅回路８６は、ＡＧＣ回路の出力を増幅し、その出力端子は、微分回路８７の入力端子に接続される。微分回路８７の出力端子は、続く発光開始信号発生回路７２及び発光停止信号発生回路７３の各入力端子に接続される。
【００３４】
発光開始信号発生回路７２の出力端子は、押しボタンスイッチ５１を介して、Ｘ端子９１に接続される。また、発光停止信号発生回路７３の出力端子は、ＳＴＰ端子９３に接続される。
（本発明と第１の実施形態との対応関係）
以下、請求項１ないし４に記載の発明と第１の実施形態との対応関係について説明する。
【００３５】
請求項１ないし４に記載の発明と第１の実施形態との対応関係については、受光部はホトダイオード８０に対応し、受光信号発生回路は、抵抗８１、抵抗８３、コンデンサ８４、ダイオード８２、トランジスタ８５、電圧増幅回路８６及び微分回路８７からなる回路に対応し、発光開始信号発生回路は発光信号発生回路７２に対応し、発光停止信号発生回路は発光信号発生回路７３に対応し、スイッチは押しボタンスイッチ５１に対応し、第１の端子はＸ端子９１に対応し、第２の端子はＳＴＰ端子９３に対応する。
【００３６】
（第１の実施形態の作用効果）
図３は、第１の実施形態のスレーブ制御装置１を使用して撮影する状況を表した模式図である。
図３（ａ）において、スレーブ制御装置１は、そのホットシュー７５とスレーブストロボ２００のクリップとによって、スレーブストロボ２００に嵌着される。
【００３７】
図３（ｂ）において、撮影者は、マスターストロボ２０１を備えたカメラ２０２を一方の手で持ち、第１の実施形態のスレーブ制御装置１を嵌着したスレーブストロボ２００を他方の手で持つ。この際、スレーブ制御装置１の受光窓５２を手で遮蔽しないようにスレーブ制御装置１またはスレーブストロボ２００を把持し、押しボタンスイッチ５１を容易に操作できる指で押しボタンスイッチ５１に指をかける。
【００３８】
ホットシュー７５と、受光窓５２を有する部材５３とは、図１に示すように各々自在に回動するので、マスターストロボ２０１とスレーブストロボ２００とがどのような位置関係にある場合でも、スレーブ制御装置１の受光窓５２をマスターストロボ２０１の方向に的確に向けることができる。
【００３９】
図４は、図２の回路の動作を説明するための出力波形図である。
図４において、図４の（ａ）はマスターストロボ２０１の発光波形、（ｂ）はトランジスタ８５の出力波形、すなわち、コレクタの電位波形、（ｃ）はコレクタ電位の微分波形、（ｄ）は発光開始信号発生回路７２の出力波形、（ｅ）は発光停止信号出力回路７３の出力波形、（ｆ）はスレーブストロボ２００の発光波形である。
【００４０】
なお、ＢＣＰＳ（beam candle power seconds）とは、ビーム燭光１秒のことであり、ストロボの光出力を示す単位である。これは、一定方向に対してある時間内に放射される光の出力を明るさの単位で表示したもので、ガイドナンバーとは、
ガイドナンバー（メートル）＝√（０．００５５×ＢＣＰＳ×ＩＳＯ感度）
の関係にある。
【００４１】
図２ないし図４を用いて第１の実施形態のスレーブ制御装置１の動作を説明する。
まず始めに、押しボタンスイッチ５１を操作して回路を閉じた状態、すなわち、マスターストロボ２０１の発光に従って、スレーブストロボ２００は、発光を開始し、マスターストロボ２０１の発光停止に従って、スレーブストロボ２００は、発光を停止する場合について説明する。
【００４２】
撮影の開始前では、マスターストロボ２０１が発光していないので、ホトダイオード８０に光電流は、流れない。または、その光電流は、発光開始信号発生回路７２によって発光開始信号を発生させるには不十分なほど非常に少ない状態である。
このとき、トランジスタ８５のベース電流は、抵抗８３を介して流れ込み、トランジスタ８５を動作させ、トランジスタ８５のコレクタ電流は、抵抗８１、ダイオード８２を介して流れ込む。コレクタ電流は、ベース電流に電流増幅率（ｈfe）を乗じた値となり、その結果、コレクタ電圧（Ｖce）は、約０．１ボルトとなる。なお、コンデンサ８４は、トランジスタ８５のベース電流に対して遅延要素となる。
【００４３】
撮影が開始され、シャッターを切るとカメラ２０２内のシンクロ接点が閉じて電流が流れ、マスターストロボ２０１は、発光を開始する。発光を開始したマスターストロボ２０１は、被写体がマスターストロボ２０１とスレーブストロボ２００との照明で適正露光に達したか否かをカメラ２０２のＴＴＬ調光によって判断され、適正露光に達するとその発光を停止する（図４（ａ）参照）。
【００４４】
マスターストロボ２０１が発光を開始すると、スレーブ制御装置１のホトダイオード８０は、受光窓５２を通してその発光を受光し、光電流をトランジスタ８５のコレクタに流す。光電流が、トランジスタ８５のコレクタに流入すると、コレクタ電圧（Ｖce）は、上昇を開始し、それに連れてダイオード８２のアノード側の電圧が上昇し、その結果、抵抗８３に流れる電流が増加する。トランジスタ８５のベース電圧（Ｖbe）は、コンデンサ８４を充電するために時間を要するので、その時間分遅れて上昇し、その上昇に従ってトランジスタ８５のベース電流（Ｖbe）が増加する。この結果、トランジスタ８５は、光電流分増加したコレクタ電流を駆動できるようになり、コレクタ電圧（Ｖce）は、マスターストロボ２０１の発光を受光する前の電圧よりやや高い電圧で上昇が止まる（図４（ｂ）Ｖ１参照）。このようにＡＧＣ回路によって、ホトダイオード８０がマスターストロボ２０１の発光の開始を検出するとトランジスタ８５のコレクタ電圧（Ｖｃｅ）は、一瞬上昇する。
【００４５】
このコレクタ電圧（Ｖce）は、ＡＧＣ回路の出力となって電圧増幅回路８６に入力され、コレクタ電圧（Ｖce）は、増幅される。増幅されたコレクタ電圧（Ｖce）は、微分回路８７に入力されて正の微分パルス（Ｖ２）を発生させる（図４（ｃ）参照）。
【００４６】
この正の微分パルス（Ｖ２）は、発光開始信号発生回路７２によって検出され、スレーブストロボ２００の発光開始を指令するトリガー（Ｖ４）を発生させる（図４（ｄ）参照）。このトリガー（Ｖ４）は、通常ＨｉレベルであるＸ端子９１の電圧を一時的にＨｉレベルからＬｏｗレベルにする状態である。
なお、このとき、発光停止信号発生回路７３は、正の微分パルス（Ｖ２）では作動しない。
【００４７】
この発光開始を指令するトリガー（Ｖ４）は、閉じている押しボタンスイッチ５１を介して、Ｘ端子９１に伝達され、スレーブストロボ２００のシンクロ接点を作動させ、スレーブストロボ２００の発光を開始させる（図４（ｆ）参照）。一方、マスターストロボ２０１とスマートストロボ２００との照明によって、被写体が適正に露光されると、ＴＴＬ調光によってマスターストロボ２０１は、発光を停止する（図４（ａ）参照）。
【００４８】
その発光の停止によって、ホトダイオード８０の光電流がなくなり、コレクタ電圧（Ｖce）は、降下する（図４（ｂ）Ｖ１参照）。
このコレクタ電圧（Ｖce）の降下は、微分回路８７によって負の微分パルス（Ｖ３）を発生させる（図４（ｃ）参照）。
この負の微分パルス（Ｖ３）は、発光停止信号発生回路７３によって検出され、スレーブストロボ２００の発光停止を指令するトリガー（Ｖ５）を発生させる（図４（ｅ）参照）。このトリガー（Ｖ５）は、通常ＨｉレベルであるＸ端子９１の電圧を一時的にＨｉレベルからＬｏｗレベルにする状態である。
【００４９】
なお、このとき、発光開始信号発生回路７２は、負の微分パルス（Ｖ３）では作動しない。
この発光停止を指令するトリガー（Ｖ５）は、ＳＴＰ端子９３に伝達され、スレーブストロボ２００の発光を停止させる（図４（ｆ）参照）。
このようにして、押しボタンスイッチ５１を閉じている状態では、スレーブ制御装置１は、ワイヤレス増灯システムのスレーブストロボ２００をそのマスターストロボ２０１に同期するように発光させる。
【００５０】
次に、押しボタンスイッチ５１を操作して回路を開いた状態、すなわち、スレーブストロボ２００の誤発光を防止する場合について説明する。
この場合には、マスターストロボ２０１または他のストロボの発光開始によって、上述の押しボタンスイッチ５１を操作して回路を閉じた状態の場合と同様に、ホトダイオード８０からなる受光部７０、ＡＧＣ回路、電圧増幅回路８６、微分回路８７及び発光開始信号発生回路７２は、動作する。
【００５１】
しかし、発光開始信号発生回路７２によって発生したトリガー（Ｖ４）は、押しボタンスイッチ５１によって回路が開かれているので、Ｘ端子９１には、伝達されない。
したがって、スレーブ制御装置１に接続しているスレーブストロボ２００のシンクロ接点は、動作しない。そのため、スレーブストロボ２００は、発光を開始しない。
【００５２】
また、押しボタンスイッチ５１は、操作している場合にのみ回路を開いた状態にするので、任意にかつ一時的にスレーブストロボの発光を禁止することができる。
さらに、スレーブストロボ２００のメインスイッチを切ることなく、スレーブストロボ２００の発光禁止を発光開始信号発生回路７２とＸ端子９１との間の押しボタンスイッチ５１で操作するので、仮にメインスイッチを切ると発光部のズーム機能や赤目軽減機能など撮影状況に応じた諸設定をリセットするストロボであっても、かかる諸設定を維持することができる。また、スレーブストロボ２００のメインスイッチを切ることなく、押しボタンスイッチ５１でその発光禁止を操作するので、スレーブストロボ２００を発光させるためのエネルギーを充電するコンデンサを他のストロボの発光などによる誤発光によって放電しないで済む。そのため、コンデンサは充電された状態を維持しているので、シャッターチャンスを逃すことなく撮影することができる。
【００５３】
（スイッチの取り付け範囲）
次に、このように便利な押しボタンスイッチ５１の取り付け範囲について説明する。
図５は、押しボタンスイッチ５１の取り付け範囲を説明する図である。なお、図５において、スレーブストロボ２００は、省略し、記載していない。図５の（ａ）及び（ｂ）は、図１に示すＹ方向からスレーブ制御装置１を見た場合の図であり、（ｃ）及び（ｄ）は、図１に示すＸ方向からスレーブ制御装置１を見た場合の図である。
【００５４】
図５の（ａ）において、スレーブ制御装置１は、左手によって把持される。この左手の掌、親指１０１、人差指１０２、中指１０３及び小指１０５によってスレーブ制御装置１の筐体５０を包み込むようにして筐体５０を支持する。親指１０１及び人差指１０２は、筐体５０の上部から支持し、中指１０３は、筐体５０の側面から支持し、小指１０５は、筐体５０の下部から支持する。
【００５５】
このように筐体５０を支持すると、受光窓５２を左手によって遮蔽することなく、マスターストロボの発光部の方向に的確に向けることができる。さらに、４本の指でしっかりと筐体５０を支持することができる。
この図５の（ａ）のように、スレーブ制御装置１の筐体５０を把持した場合には、薬指１０４で押しボタンスイッチ５１を操作することになるので、押しボタンスイッチ５１は、受光窓がある筐体５０の側面に対し約９０度をなす側面の中央付近に取り付けられる。
【００５６】
また、図５の（ｂ）、（ｃ）及び（ｄ）において、スレーブ制御装置１は、左手によって把持される。この左手の掌、親指１０１、人差指１０２、薬指１０４及び小指１０５によってスレーブ制御装置１の筐体５０を包み込むようにして筐体５０を支持する。親指１０１及び人差指１０２は、筐体５０の上部から支持し、薬指１０４及び小指１０５は、筐体５０の下部から支持する。
【００５７】
このように筐体５０を支持すると、受光窓５２を左手によって遮蔽することなく、マスターストロボの発光部の方向に的確に向けることができる。さらに、４本の指でしっかりと筐体５０を支持することができる。
この図５の（ｂ）のように、スレーブ制御装置１の筐体５０を把持した場合には、中指１０３で押しボタンスイッチ５１を操作することになるので、押しボタンスイッチ５１は、受光窓がある筐体５０の側面に対し約９０度をなす側面の受光窓がある筐体５０の側面に対向する側面に近い範囲に取り付けられる。あるいは、図５の（ｃ）または（ｄ）のように、受光窓がある筐体５０の側面に対向する側面の端、中央付近などこの側面のいずれか場所に取り付けられる。
【００５８】
このような範囲に押しボタンスイッチ５１を取り付けることによって、スレーブ制御装置１を安定的に把持することができると共に、押しボタンスイッチ５１の操作性を確保することができる。
次に、別の実施形態について説明する。
（第２の実施形態）
第２の実施形態は、請求項５ないし８に記載の発明に対応するスレーブ機能付きのストロボ２の実施形態である。図６および図７に基づいて本発明における第２の実施形態を説明する。
【００５９】
図６は、第２の実施形態のスレーブ機能付きのストロボ２の斜視図である。
図６において、ストロボ２の筐体１５０は、発光部１５５を有する上部部材１５０ｂと受光窓１５２、外部自動調光用受光窓１６６ａ、押しボタンスイッチ１５１及びクリップ１５３を有する下部部材１５０ａとからなる。
上部部材１５０ｂは、図６に示すＣ方向に回動することができるように、公知の手段により下部部材１５０ａと接続される。
【００６０】
発光部１５５は、上部部材１５０ｂの一側面に取り付けられている。
受光窓１５２及び外部自動調光用受光窓１６６ａは、下部部材１５０ａの同一側面に取り付けられる。押しボタンスイッチ１５１は、受光窓１５２及び外部自動調光用受光窓１６６ａのある側面と９０度をなす一側面に取り付けられる。クリップ１５３は、上部部材１５０ｂを接続する下部部材１５０ａの面と対向する面上に固設される。
【００６１】
なお、図６の（ａ）は、発光部１５５と受光窓１５２及び外部自動調光用受光窓１６６ａとを同一方向に向けた場合のスレーブ機能付きのストロボ２の斜視図であり、（ｂ）は、発光部１５５を受光窓１５２及び外部自動調光用受光窓１６６ａと９０度の角度をなすように上部部材を回転させた場合のスレーブ機能付きのストロボ２の斜視図である。
【００６２】
上部部材１５０ｂは回動することができるので、例えば、このストロボ２を単灯でまたはマスターストロボとして使用する場合には、外部自動調光用受光窓１６６ａと発光部１５５とを被写体に向けることができる。あるいは、このストロボをスレーブストロボとして使用する場合には、受光窓１５２をマスターストロボの方向に向けると共に発光部１５５を被写体の方向に向くように調節することができる。
【００６３】
外部自動調光用受光窓１６６ａは、ストロボ２が単灯でまたはマスターストロボとして使用されるときに外部自動調光を行う場合に、外部自動調光回路１６６の受光素子が被写体からの反射光を受光するための窓である。クリップ１５３は、ホットシューと嵌合するための部材である。
なお、押しボタンスイッチ１５１の取り付け範囲については、ストロボ２を把持したときに把持した手の指が届く範囲に取り付けられる。また、押しボタンスイッチ１５１は、ｂ接点である。
【００６４】
図７は、第２の実施形態のスレーブ機能付きのストロボ２の回路図である。なお、ブロックで示した部分は、トランジスタ、トライアック、ダイオード、抵抗器、コンデンサなどの回路素子を使用して、通常の設計技術を用いて実現できる回路である。
【００６５】
図７において、電源１６２のプラス端子は、ストロボ２のメインスイッチ１６１とスレーブ機能の使用を選択する切替スイッチ１６０と抵抗８１と抵抗８３とコンデンサ８４とを介して接地される。また、抵抗８１は、抵抗８３と接続されていない一方の端子でホトダイオード８０のカソード端子と接続される。ホトダイオード８０のアノード端子は、トランジスタ８５のコレクタ端子に接続され、トランジスタ８５のエミッタ端子は、接地される。また、トランジスタ８５のベース端子は、抵抗８３とコンデンサ８４の中点に接続される。さらに、抵抗８１と抵抗８３の中点にアノード端子を接続してダイオード８２が接続され、そのカソード端子は、ホトダイオード８０のアノード端子（トランジスタ８５のコレクタ端子でもある。）に接続されている。
【００６６】
ＡＧＣ回路の出力端子であるトランジスタ８５のコレクタ端子は、電圧増幅回路８６の入力端子に接続される。電圧増幅回路８６の出力端子は、微分回路８７の入力端子に接続される。微分回路８７の出力端子は、続く発光開始信号発生回路７２及び発光停止信号発生回路７３の各入力端子に接続される。
発光開始信号発生回路７２の出力端子は、押しボタンスイッチ１５１を介して、制御回路１６７内のシンクロ接点に接続される。また、発光停止信号発生回路７３の出力端子は、制御回路１６７内の発光を停止するための接点に接続される。
【００６７】
一方、メインスイッチ１６１と切替スイッチ１６０との中点は、電源１６２の電圧を昇圧するためのＤＣ−ＤＣコンバータ１６３を介して、発光回路１６８内の放電管を発光させるために必要なエネルギーを蓄積するコンデンサー１６４と制御回路１６７に接続される。
外部自動調光回路１６６は、被写体からの反射光を受光して被写体が適正露光に達した時に、発光回路１６８内の放電管の発光を停止するための信号を制御回路１６７に伝達する回路であり、外部自動調光を行うか否かを選択するスイッチ１６５を介して、制御回路１６７内の発光を停止するための接点に接続する。
【００６８】
カメラのシンクロ接点１７０は、ストロボ２をカメラにシンクロさせるか否かを選択する切替スイッチ１６９を介して、制御回路１６７内のシンクロ接点と接続する。
なお、切替スイッチ１６０、切替スイッチ１６５および切替スイッチ１６９は、互いに連動し、スレーブ機能または外部自動調光のいずれか一方のみを選択することができる。図７は、スレーブ機能を選択したときの各切替スイッチの接続状態を示している。
【００６９】
発光回路１６８は、ストロボ発光する放電管を有し、制御回路１６７に接続する。この制御回路１６７からの信号によって、その発光を開始または停止する。制御回路１６７は、シンクロ接点及び発光を停止するための接点を有し、発光開始信号発生回路７２またはカメラのシンクロ接点１７０からの発光開始信号によって発光回路１６８内の放電管を発光させ、発光停止信号発生回路７３または外部自動調光回路１６６からの発光停止信号によってその発光を停止する。
【００７０】
これら、電源１６２、メインスイッチ１６１、ＤＣ−ＤＣコンバータ１６３、コンデンサ１６４、外部自動調光回路１６６、制御回路１６７および発光回路１６８からなるストロボ回路１７６は、制御回路１６７がスレーブ制御回路１７５と接続されている点を除いては、ごく一般的なストロボの回路から構成されている。
【００７１】
なお、図７において、図２と同一の素子及び回路については同一の参照番号を付与し、ここではその説明を省略する。
（本発明と第２の実施形態との対応関係）
以下、請求項５ないし８に記載の発明と第２の実施形態との対応関係について説明する。
【００７２】
請求項５ないし８に記載の発明と第２の実施形態との対応関係については、受光部はホトダイオード８０に対応し、受光信号発生回路は、抵抗８１、抵抗８３、コンデンサ８４、ダイオード８２、トランジスタ８５、電圧増幅回路８６及び微分回路８７からなる回路に対応し、発光開始信号発生回路は発光信号発生回路７２に対応し、発光停止信号発生回路は発光信号発生回路７３に対応し、スイッチは押しボタンスイッチ１５１に対応する。
【００７３】
（第２の実施形態の作用効果）
図７を用いて第２の実施形態のスレーブ機能付きのストロボ２の動作を説明する。
ストロボ２を単灯でまたはマスターストロボとして使用するときは、切替スイッチ１６０、切替スイッチ１６５および切替スイッチ１６９を図７に示す各切替スイッチのＴの接点に接続する。
【００７４】
この場合は、シャッターを切るとカメラのシンクロ接点１７０が閉じて発光開始信号が制御回路１６７に伝達され、制御回路１６７は、発光回路１６８内の放電管を発光させる。そして、ストロボ２の照明によって被写体を適正に露光したことを外部自動調光回路１６６が検出すると、外部自動調光回路１６６は、制御回路１６７に発光停止信号を伝達し、制御回路１６７は、発光回路１６８内の放電管の発光を停止する。
【００７５】
このとき、ホトダイオード８０に光電流が発生したとしても、切替スイッチ１６０が図７に示すＴの接点に接続した状態なので、スレーブ制御回路１７５に給電されず、発光開始信号発生回路７２は、信号を発生しない。
ストロボ２をスレーブストロボとして使用するときは、切替スイッチ１６０、切替スイッチ１６５および切替スイッチ１６９を図７に示すＳの接点に接続する。
【００７６】
このとき、ストロボ２の誤発光の防止について、以下に説明する。
まず始めに、押しボタンスイッチ１５１を操作して回路を閉じた場合では、制御回路１６７は、スレーブ制御回路１７５の発光開始信号発生回路７２および発光停止信号発生回路７３の信号によって、動作し、発光回路１６８内の放電管を発光し、その発光を停止する。すなわち、マスターストロボの発光に従って、ストロボ２は、発光を開始し、マスターストロボの発光停止に従って、ストロボ２は、発光を停止する。
【００７７】
なお、受光部７０、受光信号発生回路７１、発光開始信号発生回路７２および発光停止信号発生回路７３は、ホトダイオード８０がマスターストロボの光を受光するに応じて、第１の実施形態の場合と同様に動作する。
次に、押しボタンスイッチ１５１を操作して回路を開いた場合では、マスターストロボまたは他のストロボの発光開始によって、上述の押しボタンスイッチ１５１を操作して回路を閉じた場合と同様に、受光部７０、受光信号発生回路７１及び発光開始信号発生回路７２は、動作する。
【００７８】
しかし、発光開始信号発生回路７２によって発生した発光開始信号は、押しボタンスイッチ１５１によって回路が開いているので、制御回路１６７には、伝達されない。
したがって、制御回路１６７内のシンクロ接点は、動作しない。そのため、ストロボ２は、発光を開始しない。
【００７９】
また、押しボタンスイッチ１５１は、操作している場合にのみ回路を開いた状態にするので、任意にかつ一時的にストロボの発光を禁止することができる。
さらに、ストロボ２のメインスイッチ１６１を切ることなく、ストロボの発光禁止を発光開始信号発生回路７２と制御回路１６７との間の押しボタンスイッチ１５１によって操作するので、仮にメインスイッチ１６１を切ると発光部のズーム機能や赤目軽減機能など撮影状況に応じた諸設定をリセットするストロボであっても、かかる諸設定を維持することができる。また、ストロボ２のメインスイッチ１６１を切ることなく、押しボタンスイッチ１５１によってその発光禁止を操作するので、放電管を発光させるためのエネルギーを充電するコンデンサ１６４を他のストロボの発光などによる誤発光によって放電しないで済む。そのため、コンデンサは充電された状態を維持しているので、シャッターチャンスを逃すことなく撮影することができる。
【００８０】
なお、第１および第２の実施形態では、シンクロ接点へ出力される発光開始信号を遮断する機能を押しボタンスイッチ５１，１５１によって実現するが、これに限定されるものではない。ホトダイオード８０などの受光素子を遮光することによって発光開始信号を遮断してもよい。
例えば、受光窓５２，１５２を完全に覆う遮光板を設け、指でこの遮光板をスライドさせることによって遮光することができる。
【００８１】
また、第１の実施形態では、スレーブ制御装置１に接続するスレーブストロボ２００として、ストロボの発光開始及び発光停止をホットシューを介してカメラから送られてくる信号によって行ういわゆるＴＴＬ調光に対応したストロボを使用したが、これに限定されるものではない。例えば、ストロボの発光開始は、ホットシューを介して送られてくる信号によって行われ、ストロボの発光停止は、そのストロボの外部調光によって行われるストロボでもよい。
【００８２】
さらに、第２の実施形態では、ストロボの発光開始をホットシューを介してカメラから送られてくる信号によって行い一方ストロボの発光停止をそのストロボの外部調光によって行うストロボに、スレーブ制御回路１７５を付加する実施形態を示したが、これに限定されるものではない。例えば、第１の実施形態のようなＴＴＬ調光に対応したストロボに、スレーブ制御回路１７５を付加するものでもよい。
【００８３】
また、ＴＴＬ調光にも外部調光にも対応するストロボは、カメラとの通信によってあるいはストロボ側のスイッチによってどちらかの調光が設定されるので、本発明は、このようなストロボに利用してもよい。
また、第１および第２実施形態では、スイッチとして押しボタンスイッチ５１，１５１を使用したが、これに限定されるものではない。スライドスイッチ、トグルスイッチなど各種のスイッチを使用することができる。
【００８４】
さらに、第１および第２の実施形態では、押しボタンスイッチ５１，１５１としてｂ接点を使用したが、ａ接点でもよい。ａ接点の押しボタンスイッチを使用するときは、押しボタンスイッチを押した場合に発光開始信号を伝達し、押しボタンスイッチを押さない場合に発光開始信号の伝達を禁止することになる。
また、第１および第２の実施形態では、押しボタンスイッチ５１，１５１を発光開始信号発生回路７２の直後に設けたが、押しボタンスイッチ５１，１５１を受光信号発生回路７１と発光開始信号発生回路７２との間に設けることもできる。
【００８５】
【発明の効果】
（請求項１、請求項５および請求項６）
以上説明したように、請求項１、請求項５および請求項６に記載の発明では、スレーブストロボへの発光開始信号を遮断する機能を付加したので、スレーブストロボの発光を任意にかつ一時的に禁止することができる。この結果、スレーブストロボの誤発光を防止することができる。
【００８６】
また、スレーブストロボのメインスイッチを切らずに発光を禁止できるので、仮にメインスイッチを開くことによって撮影状況に応じてなされる発光部のズーム位置や赤目軽減機能などの設定をリセットするストロボであっても、このような諸設定が発光禁止動作によりリセットされることがないため、撮影に必要な設定を再設定する必要がない。
【００８７】
さらに、スレーブストロボのメインスイッチを切らずに発光を停止できるので、ストロボを発光させるためのエネルギーを充電するコンデンサを他のストロボの発光などによる誤発光によって放電することがないため、コンデンサを充電した状態に維持でき、シャッターチャンスを逃すことなく撮影することができる。スレーブストロボの誤発光の防止をマスターストロボとスレーブストロボとの特別な取り決めによって実現していないので、特定の増灯システムにその使用を限定することのない汎用性を備えている。
【００８８】
（請求項３および請求項８）
請求項３および請求項８に記載の発明では、スレーブストロボへの発光開始信号の伝達を禁止するスイッチを設けたので、スレーブストロボの発光を任意にかつ一時的に禁止することができる。この結果、スレーブストロボの誤発光を防止することができる。
【００８９】
また、スレーブ制御装置またはスレーブ機能付きのストロボを把持した場合にスイッチを容易に操作できる範囲にスイッチを取り付けるので、スレーブ制御装置を安定的に把持することができると共に、誤発光防止の操作における操作性および機動性を確保することができる。このスレーブ制御装置を安定的に把持することができることによって、写真に影響を与えるライティングを希望とおりに行うことができる効果もある。
【００９０】
さらに、誤発光を防止する機能をスイッチで実現したので、かかる機能を低廉で提供することができ、かかる機能を付加しても容積および重量はほとんど変わらないため、撮影する際の機動性及び携帯性を損なうことはない。
スレーブストロボのメインスイッチを切らずに発光を停止できるので、撮影状況に応じてなされる発光部のズーム位置や赤目軽減機能などの設定がリセットされないで済むため、撮影に必要な設定を再設定する必要がない。さらに、スレーブストロボのメインスイッチを切らずに発光を停止できるので、ストロボを発光させるためのエネルギーを充電するコンデンサを他のストロボの発光などによる誤発光によって放電することがないため、コンデンサを充電した状態に維持でき、シャッターチャンスを逃すことなく撮影することができる。
【００９１】
また、スレーブストロボの誤発光の防止をマスターストロボとスレーブストロボとの特別な取り決めによって実現していないので、特定の増灯システムにその使用を限定することのない汎用性を備えている。
【図面の簡単な説明】
【図１】第１の実施形態のスレーブ制御装置１を示す斜視図である。
【図２】第１の実施形態のスレーブ制御装置１の回路図である。
【図３】第１の実施形態のスレーブ制御装置１の使用状況を説明する図である。
【図４】第１の実施形態のスレーブ制御装置１の動作を説明する図である。
【図５】押しボタンスイッチの取り付け範囲を説明する図である。
【図６】第２の実施形態のスレーブ機能付きのストロボ２の斜視図である。
【図７】第２の実施形態のスレーブ機能付きのストロボ２の回路図である。
【符号の説明】
１  スレーブ制御装置
２  ストロボ
５０  スレーブ制御装置の筐体
５１  押しボタンスイッチ
５２  受光窓
５３  部材
７０  受光部
７１  受光信号発生回路
７２  発光開始信号発生回路
７３  発光停止信号発生回路
７４  発光開始信号遮断回路
７５  ホットシュー
８０  ホトダイオード
８１  抵抗器
８２  ダイオード
８３  抵抗器
８４  コンデンサ
８５  トランジスタ
８６  電圧増幅回路
８７  微分回路
９１  Ｘ端子
９２  プラス端子
９３  ＳＴＰ端子
９４  ＧＮＤ端子
１０１  親指
１０２  人差指
１０３  中指
１０４  薬指
１０５  小指
１５０  スレーブ機能付きのストロボ
１５０ａ  スレーブ機能付きのストロボの下部
１５０ｂ  スレーブ機能付きのストロボの上部
１５１  押しボタンスイッチ
１５２  受光窓
１５３  クリップ
１５５  発光部
１６０  切替スイッチ
１６１  メインスイッチ
１６２  電源
１６３  ＤＣ−ＤＣコンバータ
１６４  コンデンサ
１６５  切替スイッチ
１６６  外部自動調光回路
１６６ａ  外部自動調光用の受光窓
１６７  制御回路
１６８  発光回路
１６９  切替スイッチ
１７０  カメラのシンクロ接点
１７５  スレーブ制御回路
１７６  ストロボ回路
２００  スレーブストロボ
２０１  マスターストロボ
２０２  カメラ
【図１】
0004200552.tif 000002
【図２】
0004200552.tif 000003
【図３】
0004200552.tif 000004
【図４】
0004200552.tif 000005
【図５】
0004200552.tif 000006
【図６】
0004200552.tif 000007
【図７】
0004200552.tif 000008